(57)【要約】【課題】  壁に向かって配置されない対面式のキッチンユニットの上にもレンジフードを正確に早く確実に取り付けることができようにする。【解決手段】  キッチンユニットＳＫが壁に向かって配置されない対面式のキッチンユニットＳＫの上方にレンジフードＬｆを取り付けるに際して、天井Ｏを利用して天井側パネルＳ（Ｓａ，Ｓｆ，Ｓｒ）を断面コ字型に吊り下げるように取り付け、このコ字型の天井側パネルＳの中にレンジフードＬｆを取り付け、レンジフードＬｆの排気口Ｌｈは、天井Ｏに配置されるダクトＯｄを介して外部と連結される。【選択図】  図１
2009100784.tif 000002
【特許請求の範囲】
【請求項１】
キッチンユニットが壁に向かって配置されない対面式のキッチンユニットの上方にレンジフードを取り付けるに際して、天井を利用して天井側パネルを断面コ字型又は断面Ｈ型に吊り下げるように取り付け、このコ字型又はＨ字型の天井側パネルの中にレンジフードを取り付けることを特徴とするレンジフードの取り付け方法。
【請求項２】
キッチンユニットが壁に向かって配置されない対面式のキッチンユニットの上方にレンジフードを取り付けるに際して、片側の壁と天井を利用して天井側パネルを断面コ字型、断面Ｌ字型、又は断面Ｔ字型に吊り下げるように取り付け、これらコ字型、Ｌ字型、又はＴ字型を呈することとなる天井側パネル又は片側の壁と天井側パネルの中にレンジフードを取り付けることを特徴とするレンジフードの取り付け方法。
【請求項３】
前記レンジフードは、規格品の深形レンジフードで、その正面側の長さが奥行き長さよりも長く、その正面側を前記キッチンユニットの正面に向けて取り付けることを特徴とする請求項１又は２記載のレンジフードの取り付け方法。
【請求項４】
キッチンユニットが壁に向かって配置されない対面式のキッチンユニットの上方にレンジフードを取り付けるに際して、天井を利用して天井側パネルを断面コ字型又は断面Ｈ字型に吊り下げるように取り付け、このコ字型又はＨ字型を呈することとなる天井側パネルの中にレンジフードを取り付け、レンジフードの排気口は、天井に配置されるダクトを介して外部と連結されることを特徴とするレンジフードの取り付け構造。
【請求項５】
キッチンユニットが壁に向かって配置されない対面式のキッチンユニットの上方にレンジフードを取り付けるに際して、片側の壁と天井を利用して天井側パネルを断面コ字型、断面Ｌ字型、又は、断面Ｔ字型に吊り下げるように取り付け、これらコ字型、Ｌ字型、又は、Ｔ字型を呈することとなる天井側パネル又は片側の壁と天井側パネルの中にレンジフードが取り付けられ、レンジフードの排気口は、天井に配置されるダクトを介して外部と連結されるか、又は、片側の壁から外部と連結されることを特徴とするレンジフードの取り付け構造。
【請求項６】
前記レンジフードは、規格品の深形レンジフードで、その正面側の長さが奥行き長さよりも長く、その正面側を前記キッチンユニットの正面に向けて取り付けることを特徴とする請求項４又は５記載のレンジフードの取り付け構造。
【請求項７】
前記天井側パネルは、板状のパネルを組み合わせて取り付けられるもので、この板状のパネルをコ字状のスペーサを介して天井や片側の壁に対して取り付けることを特徴とする請求項５又は６記載のレンジフードの取り付け構造。
【請求項８】
前記断面Ｈ字型のレンジフードが取り付けられるスペースとは反対側のスペース、又は、断面Ｔ字型と片側の壁との間で形成されるレンジフードが取り付けられるスペースとは反対側のスぺースに棚や化粧板や飾り板が取り付けられることを特徴とする請求項５又は６記載のレンジフードの取り付け構造。
【発明の詳細な説明】
【技術分野】
【０００１】
本発明は、キッチンユニットが壁に向かって配置されない対面式のキッチンユニットの上方にレンジフードを取り付けるレンジフードの取り付け方法及びレンジフードの取り付け構造に関する。
【背景技術】
【０００２】
一戸建て住宅やマンション等の建築物における台所のリフォームでは、従来の壁に向かって取り付けられるキッチンユニット（壁付型キッチン、クローズドキッチン）に代わって、キッチンユニットが壁に向かって配置されない対面式のキッチンユニット（オープンキッチン、アイランドキッチン）の取り付けが好まれる傾向にある。これは対面式のキッチンユニットが食事をする人たちと会話がし易いことや、食事の準備をしながらリビング等にも目をやることができる等、その開放的なことが好まれるからであると考えられる。
【０００３】
しかし、対面式のキッチンユニットを所定の場所に配置できたとしても、ガスコンロ・電器コンロ（ＩＨクッキングヒータ）など加熱器具の上方にレンジフードを取り付けなければ、加熱器具からの煙、臭気や部屋の換気が行えないことから、電器コンロ等の加熱器具の上方に大型でむき出し配置のレンジフード（アイランド形）を取り付けたりすることが行われている。また、加熱器具の周りにキッチンボードを配置して、このキッチンボードにレンジフードを取り付けるものも開示されている（特許文献１、２）。
【特許文献１】特開２００６−２３４３６１号公報
【特許文献２】特開２００１−２２４４５４号公報
【発明の開示】
【発明が解決しようとする課題】
【０００４】
ところで、レンジフード（ファン）は、側面が直方体形状であり平面を天井に直付けする浅形（平形とも呼ばれる。）と、側面が台形状であり、背面を壁に直付けする深形と、側面が逆Ｔ字形状でありフードを天井から吊り上げるアイランド形に大別される。上記システムキッチン（ユニット）にレンジフードを据え付ける場合、上記浅形は、加熱機からの距離が遠いために、排煙や排熱を逃がし難い問題があり、上記アイランド形は、据え付け工事が大掛かりとなり、非常に高価である。また、レンジフードがそのまま見えるので、見栄え上（意匠的に）好ましくない。意匠的には、キッチンユニットやキッチンボード等は、レンジフードを取り付ける被取付け部材とも意匠的な統一があることが強く求められものであるが、かかる要求にも反してしまう。
【０００５】
一方、規格品の深形レンジフードは、安価であるが、間口（正面側の長さ）が約６００ｍｍから９００ｍｍ程度の長さであり（奥行きよりも長い）、これを壁Ｄ２に向かって取り付けることはできるが（図１６）、壁Ｄ２に向けられていない対面式キッチンには不向きである。このため、図１７に示すように、片側に壁Ｄ１がある場所で上記規格品の深形のレンジフードＬｆを取り付けること自体は可能であるが、これは本来の取付け方向とは異なる。規格品の深形レンジフードＬｆは、その正面側の長さ（ここでは７５０ｍｍとする）がシステムキッチンユニットＳＫの奥行き（ここでは６５０ｍｍとする）よりも長いものであることが多く、これをキッチンユニットＳＫの長手方向と交差する方向で配置するようなことは好ましくない。また、図１８（ａ）に示すように、加熱器具Ｓｃの位置は、壁Ｄ１側とは限らず、これとは逆側に位置することも考えられるので、壁Ｄ１がないところでもレンジフードＬｆを取り付け可能にすることが望まれる。さらには、図１８（ｂ）に示すように、加熱器具Ｓｃが片側の壁Ｄ１の近くに配置される場合でも、片側の壁Ｄ１よりも所定間隔をおいて設置する場合もあり（ここでは通常は１５０ｍｍであるが、片側の壁Ｄ１から３００ｍｍ離すこととする）、このような場合にも、速やかに正確に確実にレンジフードを取り付けることが望まれる。なお、加熱器具Ｓｃの周りにキッチンボードを配置して、このキッチンボードに規格品の深形レンジフードを取り付けることも考えられるが、これではキッチンボードが加熱器具Ｓｃの火や熱の影響を受けるので好ましくない。
【０００６】
そこで本発明の目的は、壁に向かって配置されない対面式のキッチンユニットの上にもレンジフードを正確に早く確実に取り付けることができ、特に規格品の深形のレンジフードをその取付け方向に対応させて取り付けることができるレンジフードの取り付け方法及び取り付け構造を提供することにある。
【課題を解決するための手段】
【０００７】
本発明のレンジフードの取り付け方法と取り付け構造は、キッチンユニットが壁に向かって配置されない対面式のキッチンユニットの上方にレンジフードを取り付けるに際して、天井を利用して天井側パネルを断面コ字型又は断面Ｈ字型に吊り下げるように取り付け、このコ字型又はＨ字型の天井側パネルの中にレンジフードを取り付けることを特徴とする。また、キッチンユニットが壁に向かって配置されない対面式のキッチンユニットの上方にレンジフードを取り付けるに際して、天井を利用して天井側パネルを断面コ字型又は断面Ｈ字型に吊り下げるように取り付け、このコ字型又はＨ字型を呈することとなる天井側パネルの中にレンジフードを取り付け、レンジフードの排気口は、天井に配置されるダクトを介して外部と連結されることを特徴とする。
【０００８】
本発明によれば、対面式のキッチンユニットの前方にレンジフードを取り付けるための壁がなくとも、天井側パネルによりレンジフードをコ字型又はＨ字型に覆い隠すように取り付けることができる。
【０００９】
本発明のレンジフードの取り付け方法と取り付け構造は、キッチンユニットが壁に向かって配置されない対面式のキッチンユニットの上方にレンジフードを取り付けるに際して、片側の壁と天井を利用して天井側パネルを断面コ字型、断面Ｌ字型、又は断面Ｔ字型に吊り下げるように取り付け、これらコ字型、Ｌ字型、又はＴ字型を呈することとなる天井側パネル又は片側の壁と天井側パネルの中にレンジフードを取り付けることを特徴とする。また、キッチンユニットが壁に向かって配置されない対面式のキッチンユニットの上方にレンジフードを取り付けるに際して、片側の壁と天井を利用して天井側パネルを断面コ字型、断面Ｌ字型、又は、断面Ｔ字型に吊り下げるように取り付け、これらコ字型、Ｌ字型、又は、Ｔ字型を呈することとなる天井側パネル又は片側の壁と上記天井側パネルの中にレンジフードが取り付けられ、レンジフードの排気口は、天井に配置されるダクトを介して外部と連結されるか、又は、片側の壁から外部と連結されることを特徴とする。
【００１０】
本発明によれば、コ字型、Ｌ字型、又は、Ｔ字型の天井側パネル、又は、これらコ字型、Ｌ字型、或いは、Ｔ字型の天井側と片側の壁とによりレンジフードを覆い隠すように取り付けることができ、そして、ＩＨクッキングヒータ等の加熱器具による調理等から生じる煙や臭気をレンジフードの排気口から天井に配置されるダクトを介して外部に排気される。このため、対面式のキッチンユニットの前方にレンジフード等を取り付けるための壁がなくともレンジフードの取り付けが可能になる。
【００１１】
本発明のレンジフードの取り付け方法と取り付け構造は、前記レンジフードは、規格品の深形レンジフードで、その正面側の長さが奥行き長さよりも長く、その正面側を前記キッチンユニットの正面に向けて取り付けることを特徴とする。
【００１２】
対面型のキッチンユニットにおいても、片側に壁が配置されている場合には、この片側の壁に向けてレンジフードを取り付けることは可能である。しかし、このキッチンユニットの長手方向とレンジフードの向きが異なる配置では、ＩＨクッキングヒータ等の加熱器具との向きも異なり、排気性能を上げることができず好ましくない。また、一般的な６００ｍｍ幅の加熱器具（クックトップ）に対しては９００ｍｍ幅のフードを設けることが要求されることがあるが（消防関連法や設置基準）、前方に飛び出す配置になって、これを満たさなくなる場合がある。本発明によれば、前記レンジフードは、規格品の深形レンジフードで、その正面側の長さが奥行き長さよりも長く、その正面側が前記キッチンユニットの正面に向けて取り付けられることから、上記向きの不均衡をなくし、上記消防関連法や設置基準を満たすこととなる。
【００１３】
本発明のレンジフードの取り付け構造は、前記天井側パネルは、板状のパネルを組み合わせて取り付けられるもので、この板状のパネルをコ字状のスペーサを介して天井や片側の壁に対して取り付けることを特徴とする。本発明によれば、コ字状のスペーサを使用すると、天井と天井側パネルとを上記スペーサの一方の辺と他方の辺を向けるようにして、正確に早く取り付けることができる。また、コ字状のスペーサを使用すると、片側の壁から天井側パネルを所定距離離して設置する場合にも、その距離を担保しつつ正確に早く安定した状態で取り付けることができる。
【００１４】
本発明のレンジフードの取り付け構造は、前記断面Ｈ字型のレンジフードが取り付けられるスペースとは反対側のスペース、又は、断面Ｔ字型と片側の壁との間で形成されるレンジフードが取り付けられるスペースとは反対側のスぺースに棚や化粧板や飾り板が取り付けられることを特徴とする。レンジフードＬｆの大きさや設置場所の都合からレンジフードＬｆを少し手前（正面側）に引き出すように取り付ける事態が生じ得る。このような場合は、本発明によれば、上記Ｈ字型やＴ字型の天井側パネルを利用すれば、棚等を設ける分が左右の側面板Ｓｒ，Ｓｆの奥行き長さに余裕にあるので、この部分の長さを利用すれば、上記前方側への移動に対応可能である。
【発明の効果】
【００１５】
本発明によれば、天井又は片側の壁を利用して天井側パネルを吊り下げるように取り付け、これらのコ字型やＨ字型等を呈することとなる天井側パネルの中にレンジフードが取り付けられることにより、対面式のキッチンユニットの前方にレンジフードを取り付けるための壁がなくとも、天井側パネルによりレンジフードを隠しながら取り付けることができる。また、本発明によれば、コンロ等の加熱器具とレンジフードは、壁のないところで設置されるものであるから、キッチンボードを使用するものではなく、加熱器具の火や熱の影響が周囲に及ぼす影響が少なくなる。
【発明を実施するための最良の形態】
【００１６】
以下、本発明の一実施の形態を図面を参照して詳細に述べる。
【００１７】
（第１の実施の形態）
本実施の形態は、対面式キッチンの台所リフォームに際して本発明を適用したものであり、図１は、対面式キッチンの正面側の斜視図である。また、図２は、レンジフードの取り付け状態の背面側の斜視図である。本実施の形態は、周りには壁がないところに配置されるシステムキッチンユニットＳＫの加熱器具（ＩＨクッキングヒータ）Ｓｃの上方に、規格品のレンジフードＬｆが取り付けられるものである。加熱器具（ＩＨクッキングヒータ）Ｓｃは、システムキッチンユニットＳＫの端部側、つまり部屋の中央側に配置され、このため、レンジフードＬｆもこの位置に取り付けられる。ここで、レンジフード（ファン）Ｌｆとは、電気用品取締法施行令別表第１．９(1)に規定する換気扇で、器体の一部を排気フードとした風量１５立方メートル／分以下のものをいう。ここでは、浅形（平形）である。加熱器具（ＩＨクッキングヒータ）Ｓｃのトップ面からは、フード内のグリースフィルターまでの高さを８００ｍｍ以上離している。これは加熱器具がガスコンロの場合において、上記高さ８００ｍｍであることが消防法で決められており、これとの均衡を図ったものである。システムキッチンユニットＳＫの前には、スペースユニットＳｎが配置されている。システムキッチンユニットＳＫへの水道管や排水管等の管類が床下から連結具を介してシステムキッチンユニットＳＫに連結されているが（図１５（ａ）参照）、上記スペースユニットＳｎにより床下から引き上げられる上記管類が隠される。
【００１８】
天井側パネルＳは、断面がコ字状のスペーサＰ１（Ａ〜Ｃ），Ｐ２，Ｐ３，Ｐ１ｋと、左右の側面板Ｓｒ，Ｓｆと正面板Ｓａ等の天井側パネルＳをセットして現場に持ち込んで行うものである（図３、図４）。まず、天井に取り付けられる天井側パネルＳは、左右の側面板Ｓｒ，Ｓｆと、正面板Ｓａと、中間板Ｓｈと、棚板（或いは飾り板）ｔｔからなるもので、断面Ｈ字型に組み立て、このＨ字型の一方のスペースにレンジフードＬｆを配し、他方のスペースに棚ｔｔを取り付ける。この天井側パネルＳを断面がコ字状のスペーサやＬ字状のスペーサを使用して天井Ｏに取り付ける（図４（ａ））。天井側パネルＳは、木製で厚さ９ｍｍ以上の厚さであり、その表裏面に不燃処理がなされた不燃材料に加工されているものが使用されている。左右の側面板Ｓｒ，Ｓｆと中間板ＳｈとをＨ状に連結して、その背面側に棚板ｔｔが取り付けられ、正面側に正面板Ｓａが取り付けられる。棚板ｔｔには、左右の側面板Ｓｒ，Ｓｆに所定間隔を置いて段差を変えるための穴が形成され、ビスを介してその高さ位置が変更可能に構成されている。天井側パネルＳの正面側のスペース（左右の側面板Ｓｒ，Ｓｆと中間板Ｓｈ）は、レンジフード（ファン）Ｌｆの大きさと対応している。すなわち、レンジフード（ファン）Ｌｆの正面側の長さｂ１は、左右の側面板ＳｒとＳｆの間隔（中間板Ｓｈの長さ）ａ１と略同じ長さであり、レンジフード（ファン）Ｌｆの奥行きの長さｂ２は、左右の各側面板Ｓｒ，Ｓｆの奥行き長さの中間板Ｓｈまでの長さａ２と略同じ長さになっている（図３）。正面板Ｓａは、レンジフード（ファン）Ｌｆを取り付けた後に、その上方の正面側を隠すために使用する。システムキッチンユニットＳＫの奥側には、スペースユニットＳｎが配置され、天井側パネルＳと意匠的な統一性が図られている。すなわち、同じ色や模様で同じように棚がスペースユニットＳｎにも設けられている。なお、棚ｔｔをなくすことも可能で有り（これをコ字型とする。）、この場合は、天井側パネルＳは、左右の側面板Ｓｒ，Ｓｆと、正面板Ｓａと、そして中間板Ｓｈが奥側の板として使用される。
【００１９】
レンジフードＬｆは、規格品の浅形（平形）であり、奥行きの長さｂ２よりも正面側の長さｂ１が長く形成されている（図４（ｂ））。本実施の形態では、正面側の長さが９００ｍｍであり、奥行き長さが６００ｍｍである。このレンジフードＬｆは、蓋ｆｆが正面側に取り付けられ、蓋ｆｆを開くと下方に垂れ下がるようになり、レンジフードＬｆの排気口ｌｆや内部構造が認識できる。レンジフードＬｆの排気口Ｌｈは、天井Ｏに配置されるダクトＯｄを介して外部と連結されるが、蓋ｆｆを閉めると、図６に示すように上記排気口ｌｆ等は見えなくなる。なお、本実施の形態のシステムキッチンユニットＳＫの奥行きの長さは、約６５０ｍｍである。レンジフードＬｆは、天井側パネルＳの正面側のスペース（左右の側面板Ｓｒ，Ｓｆと中間板Ｓｈ）にビスやＬ型金具Ｌｋ等を介して取り付けられる（図５）。
【００２０】
断面がコ字状のスペーサとしては、図１２に示すコ字状のスペーサＰ１Ａや、コ字状の側面に四角形状のスペーサＰｄを嵌め込んでコ字状部分が補強されたコ字状のスペーサＰ１Ｂ（図１３）、コ字状のスペーサに予めねじ穴加工が施されたコ字状のスペーサＰ１Ｃ（図１４（ａ））、コ字状の長さを等しくしたコ字状のスペーサＰ３（図１４（ｃ））等が考えられる。なお、取り付け場所によってはＬ字状のスペーサＰ２（図１４（ｂ））の使用も可能である。本実施の形態のスペーサは、いずれも木製であり、これは天板Ｓｔ、側面板Ｓｒと正面板Ｓａが木製であることに対応させている。また、上記に対応させて９ｍｍ以上の厚さを有し、表裏に不燃処理がなされている。断面がコ字状のスペーサＰ１（Ａ〜Ｃ），Ｐ２，Ｐ３は、いずれも木製板を組み合わせて直角部分（９０度）がだせるように組み合わせられている。したがって、２組以上のコ字状のスペーサＰ１（Ａ〜Ｃ），Ｐ２，Ｐ３を各々組み合わせて使用したり、コ字状のスペーサＰ１（Ｐ１Ａ，Ｐ１Ｂ，Ｐ１Ｃ）とＬ字状のスペーサＰ２とを組み合わせて使用しても良い。コ字状のスペーサＰ１（Ａ〜Ｃ），Ｐ２，Ｐ３やＬ字状のスペーサＰ２は、金属製や樹脂製のものとして使用することも可能である。図１２に示すコ字状のスペーサＰ１Ａは、対向する一方辺Ｐａが他方辺Ｐｂよりも長く形成されている。長い方の辺Ｐａを壁Ｄや床Ｆａや各板の背面等に向けて使用することで、取り付け姿勢が安定すると共に、視覚確認の状態を良好にして取り付ける工夫である。また、長い方の辺Ｐａに壁Ｄ等への取り付けのためのネジ孔を形成し、短い方の辺Ｐｂに配管類の移動を防止するためのネジ孔を形成して使用することもできる。また、一方辺Ｐａと他方辺Ｐｂには、ネジを通すネジ孔ｎ１，ｎ２が形成されている。いずれも壁Ｄや天井Ｏへの取り付けとして使用できる。なお、コ字状のスペーサＰ３は、図１３に示すように、一方辺Ｐａと他方辺Ｐｂとが同じ長さのものを使用することも可能である。そして、ネジを介してコ字状のスペーサＰ１（Ａ〜Ｃ），Ｐ２，Ｐ３を適宜回転させれば、水平姿勢や垂直姿勢等を得ることができる。
【００２１】
スペースユニットＳｎは、図１５に示すように、正面板Ｓｓ２、天板Ｓｓ２、側面板Ｓｒ２等を取り付けるので、これらの取り付けに際しては、上記コ字状のスペーサＰ１Ａのコ字状の中央連結部分Ｐｅを上にして中間板Ｓｔ２２の裏面と接するように取り付けたり、又、側面板Ｓｒ２の取り付けに際しては、コ字状の中央連結部分Ｐｅを横にして側面板Ｓｒ２の裏面と接するように取り付ける。
【００２２】
棚Ｔは、左右一組の棚台Ｔ１，Ｔ１と、第２の天板（中間天板）Ｓｔ２２と奥板Ｔａとにより構成されている（図１５（ｂ））。また、必要に応じて調整用背板Ｔｂを使用する。左右一組の棚台Ｔ１，Ｔ１は、奥板Ｔａを有する断面コ字状のもので、奥板Ｔａの先端部Ｔａ１が突出して、第２の天板（中間天板）Ｓｔ２２に形成されたガイド溝Ｓｔｗに沿って移動する構成である。中間天板Ｓｔ２２には、左右一組の棚台Ｔ１，Ｔ１が、それぞれ棚台Ｔ１から下方向に突出した奥板Ｔａを介してガイド溝Ｓｔｗに移動自在に取り付けられ、左右一組の棚台Ｔ１，Ｔ１の間には、調整用背板Ｔｂが同じくガイド溝Ｓｔｗに取り付けられている。調整用背板Ｔｂは、スペースユニットＳｎの天板Ｓｔ３の長さに合わせて、現場で適宜調整用背板Ｔｂの長さを加工する。左右一組の棚台Ｔ１とＴ１を合わせた長さが、天板Ｓｔ３の長さに対応していれば、調整用背板Ｔｂは、なくしてもよい。このようにして、棚Ｔの長さを決定してから、これに合わせて２枚の正面板Ｓｓ２，Ｓｓ３や第１と第２の天板Ｓｔ２２，Ｓｔ３の長さを決定して、短くなる場合はこれらを切断する。したがって、台所や居間の部分をリフォームする際に、これらの部屋の実情に合わせて第２のスペースユニットＳｔ２２，Ｓｓ２，Ｓｓ３等の大きさを調節することができる。そして、天板Ｓｔ３を取り付ければ、スペースユニットＳｎとなる（図１５（ｃ））。なお、上記天井パネルＳも、同じような構成で、このように長さ調整できる構成にすることもできる。
【００２３】
ここで、図４（ｃ）に示すように、天井パネルＳとしては、更に天板Ｓｚを追加することも可能である。しかし、上記コ字状のスペーサＰ１（Ａ〜Ｃ）等や、これらとＬ字状のスペーサＰ２とを組み合わせる等の上記取り付け方法によれば、上記天板Ｓｚを使用せずとも、レンジフード（ファン）Ｌｆの重量に耐え得る天井パネルＳを組み立て可能である。また、正面板Ｓａは、レンジフード（ファン）Ｌｆを取り付けた後に取り付けるが、この正面板Ｓａも上記コ字状のスペーサＰ１（Ａ〜Ｃ）等を介して取り付けることで容易にＫ取り付け可能である。本実施の形態では、上記コ字状のスペーサＰ１（Ａ〜Ｃ）とはその向きが異なるコ字状のスペーサＰ１ｋを介して取り付けているが、上記コ字状のスペーサＰ１（Ａ〜Ｃ）とはその向きが同じでも良い。なお、図７に示すような深形のレンジフードＬｆの場合は、上記正面板Ｓａは必要がなくなる。
【００２４】
（第２の実施形態）
本実施の形態は、片側に壁Ｄ１がある場合の対面式キッチンのリフォームに際して本発明を適用したものであり、図７は、対面式キッチンの正面側の斜視図である。図８は、天井側パネルＳの組み立て状態の斜視図である。本実施の形態でも、加熱器具はＩＨクッキングヒーターＳｃが使用され、レンジフード（ファン）Ｌｆは、規格品の深形であり、奥行きよりも間口（正面側の長さが）が約６００ｍｍから９００ｍｍ程度の長さである。
【００２５】
本実施の形態では、片側の壁Ｄ１を利用できるので、天井状側パネルＳとしては、左右の側面板Ｓｒ，Ｓｆの一方Ｓｒが他方Ｓｆよりも短い、つまり背面側で棚ｔｔが取り付けられる大きさになっている（図８）。これを、ここではＴ字型と呼び、上記棚ｔｔがない場合をＬ字型と呼ぶ）。この天井側パネルＳを断面Ｔ字型（或いはＬ字型）に天井Ｏに吊り下げるようコ字状のスペーサＰ１（Ａ〜Ｃ）を使用して取り付けることで、上記片側の壁Ｄ１との間でコ字状に取り付けられる。また、側面板Ｓｆが傾かないようにコ字状のスペーサＰ１を使用して取り付けている。なお、第１の実施の形態と同様、レンジフードを取り付ける側とは反対側に棚が設けられ、キッチンユニットの前に棚が形成されたスペースユニットとの意匠的な統一性が図られている。前記レンジフードＬｆの排気口は、上記片側の壁Ｄ１の外側が建物の外になっており、ダクトｄｒを介して上記壁Ｄ１の外に排気させるが、第１の実施の形態のように、天井Ｄに配置されるダクトＯｄを介して外部と連結されるものでも良い。
【００２６】
（第３の実施形態）
図１０は、対面式キッチンＳｋの正面側の斜視図である。また、図１１は、天井側パネルＳの取り付け状態を正面側から見た断面図である。本実施の形態では、片側の壁Ｄ１に近い位置であるが、壁Ｄ１を利用しないで、天井側パネルＳを断面コ字型（或いは断面Ｈ字型）に天井Ｏに吊り下げるように取り付ける。これは片側の壁Ｄ１から少し距離をおいた位置にＩＨクッキングヒータ等のコンロを配置したいという要求に対応させるものである。天井パネルＳの構成部材としては、第１の実施の形態と同様であり（図３）、これを同じくコ字状のスペーサＰ１（Ａ〜Ｃ），Ｐ１ｋ等を使用して取り付けることで、上記壁Ｄ１からの距離を少しとってコ字状に取り付けられる。レンジフードＬｆの向きは、その正面側がシステムキッチンユニットＳＫの正面側に向けられ、その奥行き側がシステムキッチンユニットＳＫの正面側に向けられている。
【００２７】
そして、上記壁Ｄ１と上記天井パネルＳとの間には、化粧板や飾り戸ｋｋが取り付けられている。このようにレンジフードＬｆを取り付ければ、レンジフードＬｆの取り付け位置がシステムキッチンユニットＳＫの長手方向のどの位置においても取り付けることができ。
【００２８】
（第４の実施形態）
図１９（ａ）（ｂ）は、レンジフードＬｆの奥行き長さを調整する場合の説明図であり、上記Ｈ字型の天井側パネルＳの側面図である。本実施の形態では、現場のレンジフードＬｆの天井側パネルＳに対する取り付けにおいて、レンジフードＬｆの大きさや設置場所の都合からレンジフードＬｆを少し手前（正面側）に引き出すように取り付ける事態が生じ得る。このような場合は、上記Ｈ字型の天井側パネルＳを利用すれば、上記棚ｔｔを設ける分が左右の側面板Ｓｒ，Ｓｆの奥行き長さに余分にあるので、この長さを利用すれば、上記前方側への移動に対応可能である。これにより、棚ｔｔの幅等に違いがでるが、そのような場合は長さをカットして調整すれば良い。ただし、僅かな前方への移動であればカットしなくともよい場合が多い。
【００２９】
（第５の実施形態）
図２０は、レンジフードＬｆの奥行き長さを上記コ字状のスペーサＰ１（Ａ〜Ｃ）等を使用して調整する場合のものであり、上記Ｈ字型の天井側パネルＳの側面図である。現場のレンジフードＬｆの天井側パネルＳに対する取り付けにおいて、上記のようにレンジフードＬｆを少し手前（正面側）に引き出すように取り付ける事態が生じ得るが、本実施の形態では、上記コ字状のスペーサＰ１（Ａ〜Ｃ）等を中間板ＳｈとレンジフードＬｆの背面側との間に介在させることで隙間なく、そしてレンジフードＬｆを確実に取り付けることが可能である。
【００３０】
以上、本実施の形態では一戸建て住宅の台所のリフォームについて説明したが、マンションの台所等にも適用可能なものである。このように、本発明は、その趣旨を逸脱しない範囲で適宜変更が可能であることは言うまでもない。
【図面の簡単な説明】
【００３１】
【図１】本発明の第１の実施の形態のレンジフードの取り付け状態を示す斜視図である。
【図２】上記第１の実施の形態のレンジフードの取り付け状態を示す斜視図である。
【図３】上記第１の実施の形態の天井側パネルを示す図である。
【図４】上記第１の実施の形態の天井側パネルの取り付け状態を説明する図である。
【図５】上記第１の実施の形態の天井側パネルにレンジフードを取り付けた状態を示す図である。
【図６】本発明の第２の実施の形態のレンジフードの取り付け状態を示す斜視図である。
【図７】上記第２の実施の形態のレンジフードの取り付け状態を示す斜視図である。
【図８】上記第２の実施の形態の天井側パネルを示す図である。
【図９】上記第１の実施の形態の天井側パネルの取り付け状態を説明する図である。
【図１０】上記第１の実施の形態の天井側パネルにレンジフードを取り付けた状態を示す図である。
【図１１】本発明の第３の実施の形態の天井側パネルの取り付け状態を正面側から見た断面図である。
【図１２】本発明の断面がコ字状のスペーサの例を説明する図であり、（ａ）はその斜視図であり、（ｂ）はその正面図であり、（ｃ）はその側面図であり、（ｄ）はその平面図である。
【図１３】本発明の断面がコ字状のスペーサの例を説明する図であり、（ａ）はその斜視図であり、（ｂ）はその正面図であり、（ｃ）はその側面図であり、（ｄ）はその平面図である。
【図１４】本発明の断面がコ字状又はＬ字状のスペーサの例を説明する図であり、（ａ）はその斜視図であり、（ｂ）はその正面図であり、（ｃ）はその側面図であり、（ｄ）はその平面図である。
【図１５】本発明のスペースユニットの取り付け方法を説明する図であり、（ａ）は上から見た新しいキッチンユニットの配置を模式的に示す図であり、（ｂ）はスペースユニットの分解斜視図であり、（ｃ）スペースユニットを組み立てた状態の図である。
【図１６】従来のキッチンユニットの前に壁がある場合のレンジフードの取り付け状態を説明する図である。
【図１７】従来のキッチンユニットの前に壁がない場合のレンジフードの取り付け状態を説明する図である。
【図１８】従来のキッチンユニットの前に壁がない場合のレンジフードの取り付け状態を説明する図である。
【図１９】本発明の第４の実施形態の説明図であり、（ａ）がＨ字型の天井側パネルの平面図であり、（ｂ）その側面図である。
【図２０】本発明の第５の実施形態を説明する側面図である。
【符号の説明】
【００３２】
Ｄ１  台所の壁（片側の壁）、
Ｌｆ  レンジフード（ファン）、Ｌｈ  レンジフードの排気口、
Ｓ    天井パネル、Ｓｒ，Ｓｆ  左右の側面板、Ｓａ  正面板Ｓａ、
Ｓｈ  中間板、ｔｔ  棚板、Ｓｎ  スペースユニット、
Ｓｋ  新しい台所ユニット（システムキッチンユニット）、
Ｓｔ  天板（スペースユニット）、Ｓｒ  側面板（スペースユニット）、
Ｓｓ  正面板（スペースユニット）、
ＳＴ２，Ｓｔ２２，Ｓｔ２３  天板、
Ｓｔ２２  第２の天板（中間天板）、
Ｓｒ２，Ｓｒ２２  側面板、
Ｓｓ３，Ｓｓ２２，Ｓｓ２３  正面板、
Ｐ１，Ｐ１Ａ，Ｐ１Ｂ，Ｐ１Ｃ，Ｐ１Ｋ  コ字状のスペーサ、
Ｇｍ，Ｗｍ，Ｈｍ  配管類
Ｗｍ  水道管、Ｇｍ  ガス管、Ｈｍ  排水管、
Ｏｄ  ダクト、Ｏ  天井、
ｋｋ  化粧板や飾り戸、
【図１】
2009100784.tif 000003
【図２】
2009100784.tif 000004
【図３】
2009100784.tif 000005
【図４】
2009100784.tif 000006
【図５】
2009100784.tif 000007
【図６】
2009100784.tif 000008
【図７】
2009100784.tif 000009
【図８】
2009100784.tif 000010
【図９】
2009100784.tif 000011
【図１０】
2009100784.tif 000012
【図１１】
2009100784.tif 000013
【図１２】
2009100784.tif 000014
【図１３】
2009100784.tif 000015
【図１４】
2009100784.tif 000016
【図１５】
2009100784.tif 000017
【図１６】
2009100784.tif 000018
【図１７】
2009100784.tif 000019
【図１８】
2009100784.tif 000020
【図１９】
2009100784.tif 000021
【図２０】
2009100784.tif 000022